(57)【要約】【課題】バスバーの一方の端部を締結した後に、他方の端部を締結する際、他方の端部の位置を調整しやすくし、作業性を向上させたバスバーホルダを提供する。【解決手段】上下方向に交差する方向に延び、一端に第１端部４１Ａ及び他端に第２端部４２Ａを有するバスバー４０Ａを保持するバスバーホルダ３０であって、バスバーホルダは、上面から下方に向かって凹み、バスバーを収容する溝３１Ａを備え、溝は、底部３０２Ａと、底部から上方に延びる２つの壁部３０３Ａ、３０３Ｂと、底部から上方に突出する突出部３０４Ａと、を有し、突出部は、第１端部と第２端部との間に配置され、バスバーの下面を支持する。【選択図】図１
2020167909.tif 000002
【特許請求の範囲】
【請求項１】
上下方向に交差する方向に延び、一端に第１端部及び他端に第２端部を有するバスバーを保持するバスバーホルダであって、
前記バスバーホルダは、上面から下方に向かって凹み、前記バスバーを収容する溝を備え、
前記溝は、底部と、該底部から上方に延びる２つの壁部と、該底部から上方に突出する突出部と、を有し、
前記突出部は、前記第１端部と前記第２端部との間に配置され、前記バスバーの下面を支持する、バスバーホルダ。
【請求項２】
上下方向に交差する方向に延び、一端に第１端部及び他端に第２端部を有するバスバーを保持するバスバーホルダであって、
前記バスバーホルダは、上面から下方に向かって凹み、前記バスバーを収容する溝を備え、
前記溝は、底部と、該底部から上方に延びる２つの壁部と、一方の前記壁部から他方の前記壁部に向かって突出する突出部と、を有し、
前記突出部は、前記第１端部と前記第２端部との間に配置され、前記バスバーの下面を支持する、バスバーホルダ。
【請求項３】
前記突出部は、前記溝の一方の端部に設けられる、請求項１または２に記載のバスバーホルダ。
【請求項４】
前記バスバーは、前記第１端部及び前記第２端部の間に平板部を有し、
前記第２端部は、前記平板部の端部から下方に向かって屈曲し、
前記溝は、前記溝の他方の端部において、前記２つの壁部を繋ぐバスバー押さえを有し、
前記底部は、前記溝の他方の端部から前記溝側に向かって凹む凹部を有し、
平面視において、前記バスバー押さえと前記凹部とに囲まれた空間に、前記第２端部が収容される、請求項３に記載のバスバーホルダ。
【請求項５】
前記溝及び前記バスバー押さえは、前記バスバーと接触する第１リブを有する、請求項４に記載のバスバーホルダ。
【請求項６】
前記溝及び前記平板部は、平面視においてＬ字形状である、請求項４または５に記載のバスバーホルダ。
【請求項７】
前記溝の他方の端部は、前記凹部の端面から前記溝側に向かって凹み、ナットを収容する収容部を有し、
前記収容部は、前記ナットと接触する第２リブを有し、
前記凹部において、前記バスバーは、前記ナットに締結される、請求項４〜６の何れか１項に記載のバスバーホルダ。
【請求項８】
前記収容部は、上下方向の少なくとも一方に開口を有する、請求項７に記載のバスバーホルダ。
【請求項９】
請求項１〜８の何れか１項に記載のバスバーホルダを備えたモータであって、
前記第１端部は、外部電源と接続される導体と接続され、
前記第２端部は、ステータから延びる導体と接続される、モータ。
【発明の詳細な説明】
【技術分野】
【０００１】
本発明は、バスバーホルダ及びバスバーホルダを備えたモータに関する。
【背景技術】
【０００２】
従来、ステータのコイルから延びる導体は、バスバーと呼ばれる導電性の部品を介して、外部電源へ延びる導体へ接続される。一般に、バスバーとコイル側及び外部電源側の導体とは、様々な形態により接続されるが、例えば、特許文献１には、バスバーを端子台（バスバーホルダ）で保持し、バスバーの両端部をボルトで締結することにより、コイル側及び外部電源側の導体と接続する形態が開示されている。
【先行技術文献】
【特許文献】
【０００３】
【特許文献１】特開２００４−３２７１８４号公報
【発明の概要】
【発明が解決しようとする課題】
【０００４】
端子台において、バスバーの両端部をボルトで締結する場合、一方の端部を締結すると、締結していない他方の端部が浮いてしまうことがあった。後から締結する他方の端部が浮いてしまうと、締結位置を合わせることが難しく、作業性がよくないという問題があった。そこで、バスバーの締結位置を調整できる構造が求められている。
【０００５】
特許文献１には、略Ｌ字形状に折り曲げ加工されたバスバーを、所定の方向に移動可能に端子台に保持することにより、バスバーの高さと端子台の高さが異なっていても、高さの差を吸収できると記載されている。
【０００６】
本発明の主な目的は、バスバーの一方の端部を締結した後に、他方の端部を締結する際、他方の端部の位置を調整しやすくし、作業性を向上させたバスバーホルダを提供することにある。
【課題を解決するための手段】
【０００７】
本願の例示的な第１発明に係るバスバーホルダは、上下方向に交差する方向に延び、一端に第１端部及び他端に第２端部を有するバスバーを保持するバスバーホルダであって、バスバーホルダは、上面から下方に向かって凹み、バスバーを収容する溝を備え、溝は、底部と、底部から上方に延びる２つの壁部と、底部から上方に突出する突出部と、を有し、突出部は、第１端部と第２端部との間に配置され、前記バスバーの下面を支持する。
【発明の効果】
【０００８】
本願の例示的な第１発明によれば、バスバーの一方の端部を締結した後に、他方の端部を締結する際、他方の端部の位置を調整しやすくし、作業性を向上させたバスバーホルダを提供することができる。
【図面の簡単な説明】
【０００９】
【図１】本発明の一実施形態におけるモータの構成を模式的に示した断面図である。
【図２】本実施形態におけるバスバーホルダ及びバスバーを示す斜視図である。
【図３Ａ】バスバーの両端部を締結する過程を示す断面図である。
【図３Ｂ】バスバーの両端部を締結する過程を示す断面図である。
【図３Ｃ】バスバーの両端部を締結する過程を示す断面図である。
【図３Ｄ】バスバーの両端部を締結する過程を示す断面図である。
【図４】突出部の変形例を示す斜視図である。
【図５】バスバーホルダ及びバスバーの変形例を示す斜視図である。
【図６Ａ】バスバーホルダ及びバスバーの他の変形例において、バスバーの両端部を締結する過程を示す断面図である。
【図６Ｂ】バスバーホルダ及びバスバーの他の変形例において、バスバーの両端部を締結する過程を示す断面図である。
【図６Ｃ】バスバーホルダ及びバスバーの他の変形例において、バスバーの両端部を締結する過程を示す断面図である。
【図６Ｄ】バスバーホルダ及びバスバーの他の変形例において、バスバーの両端部を締結する過程を示す断面図である。
【図７Ａ】収容部を示す部分斜視図である。
【図７Ｂ】収容部を示す部分平面図である。
【発明を実施するための形態】
【００１０】
以下、本発明の実施形態を図面に基づいて詳細に説明する。なお、本発明は、以下の実施形態に限定されない。また、本発明の効果を奏する範囲を逸脱しない範囲で、適宜変更は可能である。
【００１１】
なお、本明細書では、モータの中心軸に平行な方向を「軸方向」と呼び、中心軸を中心とする径方向を「径方向」と呼ぶ。また、軸方向を上下方向として、図面の上側を単に「上側」と呼び、下側を単に「下側」と呼ぶ。ただし、この上下方向は、本実施形態におけるモータが、実際に機器に組み込まれたときの位置関係や方向を示すものではない。また、バスバーホルダ本体における上下方向は、バスバーホルダ本体を説明するために規定した方向であり、モータの軸方向と必ずしも一致するものではない。
【００１２】
図１は、本発明の一実施形態におけるモータの構成を模式的に示した断面図である。
【００１３】
図１に示すように、本実施形態におけるモータ１は、中心軸Ｊを中心に回転するシャフト１０と、シャフト１０に固定されたロータ１１と、ロータ１１の径方向外側に配置されたステータ１２とを備える。
【００１４】
ロータ１１及びステータ１２は、ハウジング１３に収容される。ハウジング１３は、底部１３Ｂと筒部１３Ｃを有する。底部１３Ｂは、ステータ１２より軸方向下側に位置する。筒部１３Ｃは、底部１３Ｂの外縁部より軸方向上側に延び、ステータ１２の径方向外側を囲む。また、ハウジング１３は、ステータ１２より軸方向上側に開口を有する。そして、ハウジング１３の開口は、ブラケット１５によって覆われる。ブラケット１５は、ブラケット本体部１５Ａと蓋部１５Ｂとを含む。
【００１５】
シャフト１０は、ロータ１１の軸方向上側に上側ベアリング１４Ａを有し、ロータ１１の軸方向下側に下側ベアリング１４Ｂを有する。上側ベアリング１４Ａは、ブラケット１５に固定される。下側ベアリング１４Ｂは、ハウジング１３に固定される。これにより、シャフト１０は、上側ベアリング１４Ａ及び下側ベアリング１４Ｂによって、回転可能に支持される。
【００１６】
ブラケット１５は、ハウジング１３の内部と外部とを連通する貫通孔１６と、ブラケット１５の内部と外部とを連通する作業窓９０と、を有する。貫通孔１６は、ブラケット１５に設けられた孔に限られず、例えば、ブラケット１５に切欠きが設けられ、ブラケット１５の切欠きとハウジング１３によって囲まれた孔であってもよい。作業窓９０は、作業者が引出線２２とバスバー２３とを接続する際、ブラケット１５の外部から接続作業を行うために用いられる。
【００１７】
ステータ１２は、中心軸Ｊを中心とする筒状のコアバック部１２Ａと、コアバック１２Ａから径方向内側に延びる複数のティース部１２Ｂと、各ティース部１２Ｂに装着されたコイル１２Ｃと、を有する。コイル１２Ｃは、絶縁性のインシュレータ（不図示）を介して、ティース部１２Ｂに装着される。
【００１８】
ステータ１２から延びる引出線２２は、貫通孔１６を通って、ハウジング１３内からブラケット１５内へ引き出される。より詳細には、引出線２２は、ステータ１２のコイル１２Ｃから引き出される。ブラケット１５内には、後述するバスバー４０Ａ、４０Ｂ、４０Ｃを保持するバスバーホルダ３０が配置される。また、ブラケット１５の壁にはコネクタ７０が設けられる。コネクタ７０は、外部電源（不図示）と接続される接続端子２０を有する。接続端子２０は、コネクタ７０からバスバー４０Ａ、４０Ｂ、４０Ｃへ延びる。引出線２２、バスバー４０Ａ、４０Ｂ、４０Ｃ及び接続端子２０は、導体である。従って、バスバー４０Ａ、４０Ｂ、４０Ｃの一端に接続端子２０が接続され、他端に引出線２２が接続されることにより、コイル１２Ｃと外部電源とが電気的に接続される。
【００１９】
バスバーホルダ３０は、突起部３０Ａを有する。突起部３０Ａは、バスバーホルダ本体３１の底面から下方に向かって延びる。ブラケット１５は、位置決め部１５Ｃを有する。位置決め部１５Ｃは、ブラケット１５の上面から下方に向かって凹む。突起部３０Ａが位置決め部１５Ｃに嵌ることにより、バスバーホルダ３０は、ブラケット１５に位置決めされる。
【００２０】
図２は、本実施形態におけるバスバーホルダ３０及びバスバー４０Ａ、４０Ｂ、４０Ｃを示す斜視図である。
【００２１】
図２に示すように、バスバーホルダ３０は、上下方向に交差する方向に延び、バスバーバスバー４０Ａ、４０Ｂ、４０Ｃを保持する。バスバー４０Ａ、４０Ｂ、４０Ｃは、上下方向に交差する方向に延びる帯状の部材である。バスバーホルダ３０は、上面から下方に向かって凹む溝３０１Ａ、３０１Ｂ、３０１Ｃを備える。バスバー４０Ａは、溝３０１Ａに収容され、バスバー４０Ｂは、溝３０１Ｂに収容され、バスバー４０Ｃは、溝３０１Ｃに収容される。本実施形態においては、平面視において、直線状の３本の溝３０１Ａ、３０１Ｂ、３０１Ｃが、バスバーホルダ３０の上面に、互いに略平行に設けられる。なお、平面視とは、バスバーホルダ３０を上下方向の上方から見た図である。
【００２２】
以下、バスバー４０Ａ及び溝３０１Ａを例に説明する。バスバー４０Ａは、一端に第１端部４１Ａ及び他端に第２端部４２Ａを有する。バスバーホルダ３０は、上面から下方に向かって凹み、バスバー４０Ａを収容する溝３０１Ａを備える。
【００２３】
溝３０１Ａは、底部３０２Ａと、２つの壁部３０３Ａ、３０３Ｂと、突出部３０４Ａと、を有する。２つの壁部３０３Ａ、３０３Ｂは、底部３０２Ａから上方に延びる。突出部３０４Ａは、底部３０２Ａから上方に突出する。突出部３０４Ａは、バスバー４０Ａの第１端部４１Ａと第２端部４２Ａとの間に配置され、バスバー４０Ａの下面を支持する。
【００２４】
なお、本実施形態では、溝３０１Ｂは、底部３０２Ｂと、２つの壁部３０３Ｂ、３０３Ｃと、突出部３０４Ｂと、を有する。溝３０１Ｃは、底部３０２Ｃと、２つの壁部３０３Ｃ、３０３Ｄと、突出部３０４Ｃと、を有する。すなわち、溝３０１Ｂは、溝３０１Ａを構成する壁部３０３Ｂ及び溝３０１Ｃを構成する壁部３０３Ｃによって構成される。しかしながら、溝３０１Ｂが、壁部３０３Ｂ及び壁部３０３Ｃとは別の壁部から構成されてもよい。
【００２５】
バスバー４０Ａは、第１端部４１Ａと第２端部４２Ａとの間に、平板部４３Ａを有する。本実施形態において、平板部４３Ａは、第１端部４１Ａから上下方向に交差する方向に延びる。第２端部４２Ａは、平板部４３Ａの端部から下方に向かって屈曲している。第１端部４１Ａには、コネクタ７０から延びる接続端子２０と締結される第１締結孔４４Ａが設けられる。第２端部４２Ａには、ステータ１２から延びる引出線２２と締結される第２締結孔４５Ａが設けられる。なお、第１端部４１Ａに引出線２２が締結され、第２端部４２Ａに接続端子２０が締結されてもよい。
【００２６】
図３Ａ〜図３Ｄは、バスバー４０Ａの両端部４１Ａ、４２Ａを接続端子２０及び引出線２２と締結する過程を示す断面図である。図３Ａ〜図３Ｄを用いて、バスバー４０Ａを締結する過程を説明する。第１端部４１Ａ及び第２端部４２Ａはどちらを先に締結してもよいが、ここでは、第１端部４１Ａを先に締結する場合を説明する。
【００２７】
まず、図３Ａに示すように、バスバーホルダ３０の溝３０１Ａ内へバスバー４０Ａを収容する。本実施形態において、溝３０１Ａの一方の端部３０５Ａには、バスバー４０Ａの第１端部４１Ａが位置し、溝３０１Ａの他方の端部３０６Ａには、バスバー４０Ａの第２端部４２Ａが位置する。第１締結孔４４Ａは、底部３０２Ａより上方かつ、バスバーホルダ３０の一方側に位置する。第２締結孔４５Ａは、底部３０２Ａより下方かつ、バスバーホルダ３０の他方側に位置する。言い換えると、第２締結孔４５Ａは、底部３０２Ａの他方側の側方において、バスバーホルダ３０と対向している。
【００２８】
次いで、図３Ｂに示すように、第１端部４１Ａ側に、接続端子２０の端部を配置する。接続端子２０の端部は、第１端部４１Ａの下方に位置する。第２端部４２Ａ側に、引出線２２を配置する。引出線２２の端部は、第２端部４２Ａを挟んで、バスバーホルダ３０の他方側に配置される。なお、接続端子２０は、端部に第３締結孔２１Ａを有し、引出線２２は端部に第４締結孔２３Ａを有する。先に締結する第１端部４１Ａの第１締結孔４４Ａと第３締結孔２１Ａとの位置を合わせておく。
【００２９】
そして、図３Ｃに示すように、バスバー４０Ａの上方から第１締結孔４４Ａ及び第３締結孔２１Ａへボルト６０を挿入し、接続端子２０の下方からナット６１で受けることにより、第１端部４１Ａと接続端子２０とを締結させる。第１端部４１Ａが締結された状態では、第２端部４２Ａ側は図中Ａ方向に浮き上がってしまう。第２端部４２Ａ側が浮き上がると、第２締結孔４５Ａと第４締結孔２３Ａとの位置がずれる。
【００３０】
しかしながら、第１端部４１Ａと第２端部４２Ａとの間に、バスバー４０Ａを支持する突出部３０４Ａが配置されることにより、バスバー４０Ａの一部が底部部３０２Ａから離れ、突出部３０４Ａを支点として、バスバー４０Ａに上下方向のばね性を付与することができる。そのため、図３Ｄに示すように、第２端部４２Ａ側を図中Ｆ方向に押し込むことが可能となり、バスバー４０Ａは、第２締結孔４５Ａの締結位置の調整が容易となる。第２締結孔４５Ａと第４締結孔２３Ａとの位置を合わせた状態で、引出線２２側から第２締結孔４５Ａ及び第４締結孔２３Ａとへボルト６２を挿入し、バスバー４０Ａ側からナット６３で受けることにより、第２端部４２Ａと引出線２２とを締結させる。
【００３１】
突出部３０４Ａは、溝３０１Ａの一方の端部３０５Ａに設けられることが好ましい。本実施形態では、溝３０１Ａの一方の端部３０５Ａが、底部３０２Ａよりも一段高くなって突出部３０４Ａが設けられており、突出部３０４Ａの上部は平面である。溝３０１Ａが、一方の端部３０５Ａに突出部３０４Ａを有することにより、先にバスバー４０Ａの第１端部４１Ａを締結する場合に、接続端子２０への第１端部４１Ａの位置決めが容易となる。
【００３２】
なお、溝３０１Ａは、他方の端部３０６Ａにおいて、２つの壁部３０３Ａ、３０３Ｂを繋ぐバスバー押さえ３０８Ａを有し、底部３０２Ａは、溝３０１Ａの他方の端部３０６Ａから溝３０１Ａ側に向かって凹む凹部３１０Ａを有することが好ましい。溝３０１Ａが、突出部３０４Ａが配置される一方の端部３０５Ａとは反対側の端部３０６Ａにバスバー押さえ３０８Ａを有することで、平面視において、バスバー押さえ３０８Ａと凹部３１０Ａとに囲まれた空間３０９Ａが形成される。空間３０９Ａに、第２端部４２Ａが収容されることにより、先にバスバー４０Ａの第１端部４１Ａ側を締結した場合に、第２端部４２Ａ側の浮き上がりを抑制することができる。
【００３３】
また、溝３０１Ａの他方の端部３０６Ａに、凹部３１０Ａの端面から溝３０１Ａ側に向かって凹み、ナット６３を収容する収容部５０が設けられてもよい。本実施形態では、溝３０１Ａの他方の端部３０６Ａに、底部３０２Ａから側方及び下方へ向かって開口する収容部５０が設けられる。
【００３４】
溝３０１Ａは、バスバー４０４０Ａと接触する第１リブ３０７を有してもよい。バスバー４０Ａと接触する第１リブ３０７によって、バスバー４０Ａを締結する際、バスバー４０Ａをバスバーホルダ３０上に仮留めできるため、作業性を向上させることができる。なお、本実施形態において、溝３０１Ａに設けられた第１リブ３０７は、壁部３０３Ａ、３０３Ｂの上下方向に亘って延び、溝３０１Ａの内側へ向かって突出する。また、溝３０１Ａの第１リブ３０７は、両壁部３０３Ａ、３０３Ｂに対で設けられ互いに対向するが、第１リブ３０７の数、形状及び位置は限定されない。なお、バスバー押さえ３０８Ａも溝３０１Ａと同様にバスバー４０Ａと接触する第１リブ３０７を有してもよい。
【００３５】
（突出部の変形例）
図４は、突出部の変形例を示す斜視図である。
【００３６】
本変形例において、バスバー４０Ａは上記実施形態のバスバー４０Ａと同じ形態であり、バスバーホルダ３０は、突出部１３０４Ａの形状以外は上記実施形態のバスバーホルダ３０と同じ形態である。
【００３７】
溝３０１Ａは、一方の壁部３０３Ａから他方の壁部３０３Ｂに向かって突出する突出部１３０４Ａを有する。突出部１３０４Ａは、バスバー４０Ａの第１端部４１Ａと第２端部４２Ａとの間に配置され、バスバー４０Ａの下面を支持する。バスバー４０Ａの下面を支持することができれば、突出部１３０４Ａの数、形状及び位置は限定されないが、突出部１３０４Ａは、両側の壁部３０３Ａ、３０３Ｂに対で設けられ、互いに対向することが好ましい。なお、突出部１３０４Ａは、溝３０１Ａに設けられた第１リブ３０７に比べて、高さが低く、溝３０１Ａの内側へ向かってより突出することが好ましい。また、第１リブ３０７の根元に突出部１３０４Ａを設けてもよい。
【００３８】
バスバー４０Ａの第１端部４１Ａと第２端部４２Ａとの間において、壁部３０３Ａに突出部３４Ａを有することにより、突出部３４Ａを支点として、バスバー４０Ａに上下方向のばね性を付与することができる。そのため、第１端部４１Ａまたは第２端部４２Ａの一方を先に締結した場合、後から締結する他方を容易に位置調整することができる。
【００３９】
（バスバーホルダ及びバスバーの変形例）
図５は、バスバーホルダ及びバスバーの変形例を示す斜視図である。
【００４０】
本変形例において、バスバー１４０Ａ、１４０Ｂ、１４０Ｃは、平板部１４３Ａ、１４３Ｂ、１４３Ｃの形状が上記実施形態と異なる。また、バスバーホルダ１３０は、溝１３０１Ａ、１３０１Ｂ、１３０１Ｃの形状が上記実施形態と異なる。
【００４１】
以下、バスバー１４０Ａ及び溝１３０１Ａを例に説明する。
【００４２】
バスバー１４０Ａの平板部１４３Ａは、平面視においてＬ字形状である。また、バスバー１４０の形状に合わせて、バスバーホルダ１３０の溝１３０１も、平面視においてＬ字形状である。このように、平板部１４３及び溝１３０１の形状が上記実施形態と異なる場合も、突出部３０４Ａが、バスバー１４０Ａの第１端部４１Ａと第２端部４２Ａとの間に配置され、バスバー１４０Ａの下面を支持することにより、上記実施形態と同様の効果を得ることができる。
【００４３】
（バスバーホルダ及びバスバーの他の変形例）
図６Ａ〜図６Ｄは、バスバーホルダ及びバスバーの他の変形例において、バスバー２４０Ａの両端部４１Ａ、４２Ａを締結する過程を示す断面図である。図６Ａ〜図６Ｄを用いて、バスバー２４０Ａを締結する過程を説明する。第１端部４１Ａと第２端部４２Ａはどちらを先に締結してもよいが、ここでは、第１端部４１Ａを先に締結する場合を説明する。なお、本変形例において、バスバー２４０Ａは、第１端部４１Ａから第２端部４２Ａまでの全域が平板部２４３Ａである点で、上記実施形態と異なる。
【００４４】
図６Ａに示すように、バスバー４０は第１端部４１Ａから第２端部４２Ａまでの全域が平板部２４３Ａであるため、断面視において、直線状に、バスバーホルダ３０の溝１３０１Ａ内へ収容される。具体的には、第１端部４１Ａ側の第１締結孔２４４Ａは、バスバーホルダ３０より一方側に位置し、第２端部４２Ａ側の第２締結孔２４５Ａは、バスバーホルダ３０より他方側に位置する。また、第１締結孔２４４Ａ及び第２締結孔２４５Ａはいずれも底部３０２Ａより上方に位置する。
【００４５】
次いで、図６Ｂに示すように、第１端部４１Ａの下方に接続端子２０の端部を配置し、第２端部４２Ａの下方に引出線２２を配置する。先に締結する第１端部４１Ａの第１締結孔２４４Ａと第３締結孔２１Ａとの位置を合わせておく。
【００４６】
そして、図６Ｃに示すように、バスバー２４０Ａの上方から第１締結孔２４４Ａ及び第３締結孔２１Ａへボルト６０を挿入し、接続端子２０の下方からナット６１で受けることにより、第１端部４１Ａと接続端子２０とを締結させる。第１端部４１Ａが締結された状態では、第２端部４２Ａ側は図中Ａ方向に浮き上がってしまう。第２端部４２Ａ側が浮き上がると、第２締結孔２４５Ａと第４締結孔２３Ａとの位置がずれる。
【００４７】
しかしながら、第１端部４１Ａと第２端部４２Ａとの間に、バスバー２４０Ａを支持する突出部３０４Ａが配置されることにより、バスバー２４０Ａの一部が底部３０２Ａから離れ、突出部３０４Ａを支点として、バスバー２４０Ａに上下方向のばね性を付与することができる。そのため、図６Ｄに示すように、第２端部４２Ａ側を図中Ｆ方向に押し込むことが可能となり、バスバー２４０Ａは、第２締結孔２４５Ａの位置調整が容易となる。第２締結孔２４５Ａと第４締結孔２３Ａとの位置を合わせた状態で、バスバー２４０Ａの上方から第２締結孔２４５Ａ及び第４締結孔２３Ａへボルト６２を挿入し、引出線２２の下方からナット６３で受けることにより、第２端部４２Ａと引出線２２とを締結させる。
【００４８】
（収容部の構成）
図７Ａは、収容部５０を示す部分斜視図であり、図７Ｂは、収容部５０を示す部分平面図である。
【００４９】
図７Ａに示すように、底部３０２Ａは、他方の端部３０６Ａから溝３０１Ａ側に向かって凹む凹部３１０Ａを有する。平面視において、バスバー押さえ３０８Ａと凹部３１０Ａとによって囲まれた空間３０９Ａが形成される。空間３０９Ａに、バスバー４０Ａの第２端部４２Ａが挿入される。バスバー４０Ａは、凹部３１０Ａにおいてナット６３に締結される。ナット６３は、凹部３１０Ａの端面から、さらに溝３０１Ａ側に向かって凹む収容部５０に収容される。
【００５０】
収容部５０は、具体的には、ナット６３を収容するナット収容部５０と、ナット収容部５０よりも溝３０１Ａ側に位置し、ボルト６２の端部を収容するボルト収容部５０Ｂとからなる。また、ナット収容部５０は、ナット６３と接触する第２リブ５１を有することが好ましい。図７Ａ及び図７Ｂにおいて、ナット収容部５０の両側に２つの第２リブ５１、５１が対向し、溝３０１Ａの方向に延びている。
【００５１】
このような構成であれば、ナット６３は、第２リブ５１によって上下方向に移動可能に保持される。これにより、ボルト６２の進入角度に合わせてナット６３が上下方向に移動するため、締結しやすい。
【００５２】
また、収容部５０は、上下方向の少なくとも一方に開口を有することが好ましい。収容部５０が側方にのみ開口する場合、側方からナット６３を挿入しようとすると、バスバー押さえ３０８Ａが干渉するため、作業性がよくない。しかしながら、収容部５０が、上方または下方に開口して設けられることにより、ナット６３を収容部５０に挿入しやすくなる。
【００５３】
また、収容部５０は、図７Ａ及び図７Ｂに示すように、底部３０２Ａの側方及び上方に開口することが、より好ましい。収容部５０は、上方が開口して設けられることにより、組み立て作業中にナット６３の落下を防ぐことができる。
【００５４】
バスバーホルダは、上述の実施形態または変形例に限られるものではなく、様々な変更が可能である。
【００５５】
例えば、上側ベアリング及び下側ベアリングには、ボールベアリングなどの転がり軸受やスリーブベアリングなどの滑り軸受が用いられ、異なる種類の軸受を組み合わせてもよい。また、上側ベアリングの外径と下側ベアリングの外径とが異なってもよい。
【００５６】
また、本実施形態及び変形例において、接続端子は、第１端部の下方で第１端部と締結されるが、第１端部の上方で締結されてもよい。引出線は、第２端部の下方または第２端部を挟んでバスバーホルダの他方側で第２端部と締結されるが、第２端部の上方または第２端部のバスバーホルダ側（一方側）で締結されてもよい。
【００５７】
また、バスバーは、ボルトによって接続端子や引出線と締結されるが、溶接など他の方法によって締結されてもよい。
【００５８】
また、本実施形態及び変形例におけるバスバー及び溝は、それぞれ３本であったが、数は限定されるものでなく、例えば２本や４本であってもよい。
【００５９】
また、本実施形態及び変形例におけるバスバー及び溝は、接続端子と引出線との位置に応じて、直線形状及びＬ字形状が組み合わされてもよい。バスバー及び溝は、直線形状及びＬ字形状に限定されるものでなく、接続端子と引出線の引き出し方向によって、様々な形状のバスバー及び溝を適用することが可能である。
【００６０】
また、本実施形態におけるバスバーホルダは、モータの上側に配置され、上下方向に交差する方向に延びるが、バスバーホルダの配置及び形状はこれに限らない。例えば、バスバーホルダは、ハウジング外周面に設けられ、ハウジング外周面の接線方向または上下方向に延びてもよい。この場合、本明細書中でバスバーホルダの説明で用いた上下方向は、モータの上下方向ではなく、モータの径方向内外に置き換えて説明可能である。
【００６１】
上記実施形態および各変形例における構成は、相互に矛盾しない限り適宜組み合わされてよい。
【００６２】
上述した実施形態のモータの用途は、特に限定されない。上述した実施形態のモータは、例えば、自動車用、産業用、家電用のモータとして利用可能である。上述した実施形態のモータは、好ましくは、ＥＶ（Electric Vehicle）駆動用モータ、ＨＥＶ（Hybrid Electric Vehicle）駆動用モータ、等に用いることができる。
【符号の説明】
【００６３】
１      モータ 
１０      シャフト 
１１      ロータ
１２      ステータ 
１３      ハウジング 
１４Ａ    上側ベアリング
１４Ｂ    下側ベアリング
１５      ブラケット
１６      貫通孔 
２０      接続端子
２１Ａ    第３締結孔 
２２      引出線
２３Ａ    第４締結孔
３０      バスバーホルダ 
３０１Ａ，１３０１Ａ      溝 
３０２Ａ    底部
３０３Ａ    壁部
３０４Ａ，１３０４Ａ    突出部 
３０５Ａ    一方の端部
３０６Ａ    他方の端部
３０７      第１リブ
３０８Ａ      バスバー押さえ
３０９Ａ      空間
３１０Ａ      凹部
４０Ａ，１４０Ａ，２４０Ａ      バスバー
４１Ａ    第１端部
４２Ａ    第２端部
４３Ａ，１４３Ａ    平板部
４４Ａ    第１締結孔
４５Ａ    第２締結孔
５０      収容部
５１      第２リブ
【図１】
2020167909.tif 000003
【図２】
2020167909.tif 000004
【図３Ａ】
2020167909.tif 000005
【図３Ｂ】
2020167909.tif 000006
【図３Ｃ】
2020167909.tif 000007
【図３Ｄ】
2020167909.tif 000008
【図４】
2020167909.tif 000009
【図５】
2020167909.tif 000010
【図６Ａ】
2020167909.tif 000011
【図６Ｂ】
2020167909.tif 000012
【図６Ｃ】
2020167909.tif 000013
【図６Ｄ】
2020167909.tif 000014
【図７Ａ】
2020167909.tif 000015
【図７Ｂ】
2020167909.tif 000016